Podtech/llm-jp-corpus-v4-ja_patent huggingface dataset:
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
α−酸化クロム格子におけるニッケル原子と三価コバルト原子との総量が６原子％以下であるという条件で、α−酸化クロム格子におけるクロム原子の０．０５原子％〜２原子％がニッケル原子によって置換され、場合により、α−酸化クロム格子における追加のクロム原子が三価コバルト原子によって置換された結晶質α−酸化クロム。
【請求項２】
請求項１に記載の結晶質置換α−酸化クロムをクロム含有成分として含んでなるクロム含有触媒組成物。
【請求項３】
請求項１に記載の結晶質置換α−酸化クロムをフッ素化剤で処理することによって製造されるクロム含有成分を含んでなるクロム含有触媒組成物。
【請求項４】
請求項１に記載の結晶質置換α−酸化クロムおよびフッ素化剤で処理された請求項１に記載の結晶質置換α−酸化クロムよりなる群から選択される少なくとも１つのクロム含有成分を含んでなる触媒組成物を触媒として使用することを特徴とする、触媒の存在下で炭化水素またはハロゲン化炭化水素におけるフッ素分布を変化させる方法。
【請求項５】
ハロゲン化炭化水素化合物または不飽和炭化水素化合物のフッ素含有率が、前記触媒組成物の存在下で前記化合物を気相中でフッ化水素と反応させることによって増加される請求項４に記載の方法。
【請求項６】
（ａ）溶液中にクロム１モル当たり硝酸塩を少なくとも３モル含有し、溶液中でニッケルとクロムとコバルト（存在する場合には）との総量に対して０．０５モル％〜２モル％のニッケル濃度を有し、かつ溶液中でニッケルとクロムとコバルト（存在する場合には）との総量に対して６モル％以下のニッケルとコバルト（存在する場合には）とを合わせた濃度を有する、可溶性二価ニッケル塩と可溶性三価クロム塩と、場合により可溶性二価または三価コバルト塩との水溶液に、水酸化アンモニウムを添加することによって固体を共沈させ；クロム１モル当たりアンモニウムを少なくとも３モル、溶液に添加した後に；
（ｂ）（ａ）で形成された共沈固体を回収し；
（ｃ）回収された固体を乾燥させ；そして
（ｄ）その乾燥した固体をか焼する
ことを含んでなる、請求項１に記載の結晶質置換α−酸化クロムを含んでなる組成物の製造方法。
【手続補正２】
【補正対象書類名】明細書
【補正対象項目名】０１４２
【補正方法】変更
【補正の内容】
【０１４２】
【表９】
2005536425.tif 000001
本発明の好適な実施の態様は次のとおりである。
１．  α−酸化クロム格子におけるニッケル原子と三価コバルト原子との総量が６原子％以下であるという条件で、α−酸化クロム格子におけるクロム原子の約０．０５原子％〜約２原子％がニッケル原子によって置換され、場合により、α−酸化クロム格子における追加のクロム原子が三価コバルト原子によって置換された結晶質α−酸化クロム。
２．  上記１に記載の結晶質置換α−酸化クロムをクロム含有成分として含んでなるクロム含有触媒組成物。
３．  上記１に記載の結晶質置換α−酸化クロムをフッ素化剤で処理することによって製造されるクロム含有成分を含んでなるクロム含有触媒組成物。
４．  上記１に記載の結晶質置換α−酸化クロムおよびフッ素化剤で処理された上記１に記載の結晶質置換α−酸化クロムよりなる群から選択される少なくとも１つのクロム含有成分を含んでなる触媒組成物を触媒として使用することを特徴とする、触媒の存在下で炭化水素またはハロゲン化炭化水素におけるフッ素分布を変化させる方法。
５．  ハロゲン化炭化水素化合物または不飽和炭化水素化合物のフッ素含有率が、前記触媒組成物の存在下で前記化合物を気相中でフッ化水素と反応させることによって増加される上記４に記載の方法。
６．  ハロゲン化炭化水素化合物または炭化水素化合物のフッ素含有率が、前記触媒組成物の存在下で前記化合物を気相中でＨＦおよびＣｌ2と反応させることによって増加される上記４に記載の方法。
７．  ハロゲン化炭化水素化合物におけるフッ素分布を、前記触媒組成物の存在下で前記ハロゲン化炭化水素化合物を異性化することによって変化させる上記４に記載の方法。
８．  ハロゲン化炭化水素化合物におけるフッ素分布を、前記触媒組成物の存在下で前記ハロゲン化炭化水素化合物を気相中で不均化することによって変化させる上記４に記載の方法。
９．  ハロゲン化炭化水素化合物のフッ素含有率が、前記触媒組成物の存在下で前記ハロゲン化炭化水素化合物を脱ヒドロフッ素化することによって低減される上記４に記載の方法。
１０．  ハロゲン化炭化水素化合物のフッ素含有率が、前記触媒組成物の存在下で前記ハロゲン化炭化水素化合物を気相中で塩化水素と反応させることによって低減される上記４に記載の方法。
１１．  （ａ）溶液中にクロム１モル当たり硝酸塩を少なくとも３モル含有し、溶液中でニッケルとクロムとコバルト（存在する場合には）との総量に対して約０．０５モル％〜約２モル％のニッケル濃度を有し、かつ溶液中でニッケルとクロムとコバルト（存在する場合には）との総量に対して６モル％以下のニッケルとコバルト（存在する場合には）とを合わせた濃度を有する、可溶性二価ニッケル塩と可溶性三価クロム塩と、場合により可溶性二価または三価コバルト塩との水溶液に、水酸化アンモニウムを添加することによって固体を共沈させ；クロム１モル当たりアンモニウムを少なくとも３モル、溶液に添加した後に；
（ｂ）（ａ）で形成された共沈固体を回収し；
（ｃ）回収された固体を乾燥させ；そして
（ｄ）その乾燥した固体をか焼する
ことを含んでなる、上記１に記載の結晶質置換α−酸化クロムを含んでなる組成物の製造方法。
１２．  可溶性ニッケル塩が硝酸塩または硝酸塩水和物である上記１１に記載の方法。
１３．  可溶性クロム塩が硝酸塩または硝酸塩水和物である上記１２に記載の方法。
１４．  クロム１モル当たり３モルを超える硝酸アンモニウムが水溶液中に存在する上記１３に記載の方法。
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
α−酸化クロム格子中のクロム原子の０．０５原子％〜６原子％が三価コバルト原子により置換された結晶質α−酸化クロム。
【請求項２】
請求項１に記載の結晶質コバルト置換α−酸化クロムをクロム含有成分として含んでなるクロム含有触媒組成物。
【請求項３】
請求項１に記載の結晶質コバルト置換α−酸化クロムをフッ素化剤で処理することによって製造されるクロム含有成分を含んでなるクロム含有触媒組成物。
【請求項４】
請求項１に記載の結晶質コバルト置換α−酸化クロムおよびフッ素化剤で処理された請求項１に記載の結晶質コバルト置換α−酸化クロムよりなる群から選択される少なくとも１つのクロム含有成分を含んでなる組成物を触媒として使用することを特徴とする、触媒の存在下で炭化水素またはハロゲン化炭化水素におけるフッ素分布を変化させる方法。
【請求項５】
ハロゲン化炭化水素化合物または不飽和炭化水素化合物のフッ素含有率が、前記触媒組成物の存在下で前記化合物を気相中でフッ化水素と反応させることによって増加される請求項４に記載の方法。
【請求項６】
（ａ）溶液中にクロム１モル当たり硝酸塩を少なくとも３モル含有し、かつ溶液中でコバルトとクロムの総濃度に対して０．０５モル％〜６モル％のコバルト濃度を有する、可溶性コバルト塩と可溶性三価クロム塩との水溶液に、水酸化アンモニウムを添加することによって固体を共沈させ；その溶液中のクロム１モル当たりアンモニウムを少なくとも３モル、溶液に添加した後に；
（ｂ）（ａ）で形成される共沈固体を回収し；
（ｃ）回収された固体を乾燥させ；そして
（ｄ）乾燥した固体をか焼する
ことを含んでなる、請求項１に記載の結晶質コバルト置換α−酸化クロムを含んでなる組成物の製造方法。
【手続補正２】
【補正対象書類名】明細書
【補正対象項目名】０２１５
【補正方法】変更
【補正の内容】
【０２１５】
ＸＲＤによる試料の分析によって、α−Ｃｒ2Ｏ3構造を有する優勢な相が示され；ＴＥＭおよびＥＤＳによって、コバルトおよびクロムを含有する少量のスピネル相が示された。コバルト含有α−Ｃｒ2Ｏ3相は、２００〜４００ｎｍ結晶の形で存在した。ＸＡＳによって、コバルトはα−Ｃｒ2Ｏ3格子中に完全に組み込まれていることが示された。
本発明の好適な態様は次のとおりである。
１．  α−酸化クロム格子中のクロム原子の約０．０５原子％〜約６原子％が三価コバルト原子により置換された結晶質α−酸化クロム。
２．  上記１に記載の結晶質コバルト置換α−酸化クロムをクロム含有成分として含んでなるクロム含有触媒組成物。
３．  上記１に記載の結晶質コバルト置換α−酸化クロムをフッ素化剤で処理することによって製造されるクロム含有成分を含んでなるクロム含有触媒組成物。
４．  上記１に記載の結晶質コバルト置換α−酸化クロムおよびフッ素化剤で処理された上記１に記載の結晶質コバルト置換α−酸化クロムよりなる群から選択される少なくとも１つのクロム含有成分を含んでなる組成物を触媒として使用することを特徴とする、触媒の存在下で炭化水素またはハロゲン化炭化水素におけるフッ素分布を変化させる方法。
５．  ハロゲン化炭化水素化合物または不飽和炭化水素化合物のフッ素含有率が、前記触媒組成物の存在下で前記化合物を気相中でフッ化水素と反応させることによって増加される上記４に記載の方法。
６．  ハロゲン化炭化水素化合物または炭化水素化合物のフッ素含有率が、前記触媒組成物の存在下で前記化合物を気相中でＨＦおよびＣｌ2と反応させることによって増加される上記４に記載の方法。
７．  ハロゲン化炭化水素化合物におけるフッ素分布を、前記触媒組成物の存在下で前記ハロゲン化炭化水素化合物を異性化することによって変化させる上記４に記載の方法。
８．  ハロゲン化炭化水素化合物におけるフッ素分布を、前記触媒組成物の存在下で前記ハロゲン化炭化水素化合物を気相中で不均化することによって変化させる上記４に記載の方法。
９．  ハロゲン化炭化水素化合物のフッ素含有率が、前記触媒組成物の存在下で前記ハロゲン化炭化水素化合物を脱ヒドロフッ素化することによって低減される上記４に記載の方法。
１０．  ハロゲン化炭化水素化合物のフッ素含有率が、前記触媒組成物の存在下で前記ハロゲン化炭化水素化合物を気相中で塩化水素と反応させることによって低減される上記４に記載の方法。
１１．  （ａ）溶液中にクロム１モル当たり硝酸塩を少なくとも３モル含有し、かつ溶液中でコバルトとクロムの総濃度に対して約０．０５モル％〜約６モル％のコバルト濃度を有する、可溶性コバルト塩と可溶性三価クロム塩との水溶液に、水酸化アンモニウムを添加することによって固体を共沈させ；その溶液中のクロム１モル当たりアンモニウムを少なくとも３モル、溶液に添加した後に；
（ｂ）（ａ）で形成される共沈固体を回収し；
（ｃ）回収された固体を乾燥させ；そして
（ｄ）乾燥した固体をか焼する
ことを含んでなる、上記１に記載の結晶質コバルト置換α−酸化クロムを含んでなる組成物の製造方法。
１２．  可溶性コバルト塩が二価コバルト塩である上記１１に記載の方法。
１３．  可溶性コバルトおよびクロム塩が硝酸塩または硝酸塩水和物である上記１２に記載の方法。
１４．  クロム１モル当たり３モルを超える硝酸アンモニウムが水溶液中に存在する上記１２に記載の方法。
【手続補正書】
【提出日】平成18年3月7日(2006.3.7)
【手続補正１】
【補正対象書類名】明細書
【補正対象項目名】００２９
【補正方法】変更
【補正の内容】
【００２９】
【図１】図１は、金属水素化物溶液からの従来の水素発生装置のブロック図である。
【図２】図２は、本発明の改善された装置のブロック図である。
【図３】図３は、本発明の改善された装置の別の実施態様のブロック図である。
【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
式Ｉ：
【化１】
2005536492.tif 000001
［式中、
Ｗは
【化２】
2005536492.tif 000002
であり；
Ｚは−ＮＨ２および
【化３】
2005536492.tif 000003
からなる群から選択され；
Ｒ１は
【化４】
2005536492.tif 000004
、水素、−Ｐ（Ｏ）Ａ１Ａ２、−Ｃ（Ｏ）Ｃ１−６アルキル、−Ｃ（Ｏ）アリール、−Ｃ（Ｏ）ＮＨＣ１−６アルキル、−Ｃ（Ｏ）ＮＨアリール、−（ＣＨ２ＣＨ２Ｏ）ｍＭｅ、−Ｃ１−６アルケニル、−Ｃ１−６アルキニル、および−Ｃ１−６アルキルからなる群から選択され；ここで該Ｃ１−６アルキルは１から６個のヒドロキシで適宜置換されるか、または以下の（ａ）〜（ｉ）：すなわち、
（ａ）ＣＯ２Ｒ３；
（ｂ）ＣＯＮＲ４Ｒ５；
（ｃ）ＯＰ（Ｏ）Ａ１Ａ２；
（ｄ）ＳＯ３Ｈ；
（ｅ）−Ｏ（ＣＨ２）ｎＳｉＲ６３；
（ｆ）ピロリジニル、ピペリジニル、ピペラジニル、およびモルホリニルからなる群から選択されるヘテロ脂環式基；
（ｇ）シアノ；
（ｈ）エポキシ；および
（ｉ）アリール；
からなる群から選択される同一または異なる１から２個の置換基で適宜置換され；
ただし、Ｒ１およびＲ２は同時にＨではなく；
Ｒ２は
【化５】
2005536492.tif 000005
、水素、−Ｐ（Ｏ）Ａ１Ａ２、−ＳＯ３Ｈ、−Ｃ（Ｏ）Ｃ１−６アルキル、−Ｃ（Ｏ）ＣＨ＝ＣＨＣＯ２Ｒ３、−Ｃ（Ｏ）アリール、−Ｃ（Ｏ）Ｎ（Ｈ）（Ｃ１−６アルキル−Ｔ）、−Ｃ（Ｏ）Ｎ（Ｍｅ）（Ｃ１−６アルキル−Ｔ）、−（ＣＨ２ＣＨ２Ｏ）ｐＨ、−（ＣＨ２ＣＨ２Ｏ）ｑＭｅ、−Ｃ１−６アルケニル、−Ｃ１−６アルキルおよび−Ｃ１−６アルキニルからなる群から選択され；ここで該−Ｃ１−６アルキルは１から６個のヒドロキシで適宜置換されるか、または以下の（ｊ）〜（ｖ）：すなわち、
（ｊ）ハロ；
（ｋ）ＣＯ２Ｒ３；
（ｌ）ＣＯＮＲ４Ｒ５；
（ｍ）ＯＰ（Ｏ）Ａ１Ａ２；
（ｎ）Ｐ（Ｏ）Ａ１Ａ２；
（ｏ）ＳＯ３Ｈ；
（ｐ）−Ｏ（ＣＨ２）ｒＳｉＲ６３；
（ｑ）ピロリジニル、ピペリジニル、ピペラジニル、モルホリニル、イミダゾリル、およびピリジルからなる群から選択されるヘテロ環式基またはヘテロ脂環式基；
（ｒ）シアノ；
（ｓ）アジド；
（ｔ）アリール；
（ｕ）ＮＲ４Ｒ５；および
（ｖ）
【化６】
2005536492.tif 000006
からなる群から選択される同一または異なる１から２個の置換基で適宜置換され；
Ｒ３は、水素、Ｃ１−６アルキル、アリル、ベンジル、２−ヒドロキシエチル、および２−テトラヒドロピラニルからなる群から選択され；
Ｒ４およびＲ５は各々独立して、水素、Ｃ１−６アルキル、ＣＨ２ＣＮ、ＣＨ２ＣＨ２ＮＨ（ｔ−ブチルオキシカルボニル）、Ｃ（＝ＮＨ）ＮＨ２およびＳＯ２Ｎ（Ｃ１−６アルキル）２からなる群から選択されるか；またはＲ４およびＲ５がそれに結合する窒素と共に一緒になって、ピロリジニル、ピペリジニル、ピペラジニル、モルホリニル、イミダゾリル、およびピリジルからなる群から選択されるヘテロ環式基またはヘテロ脂環式基を形成し；
Ｒ６はＣ１−６アルキルおよびフェニルから選択され；
Ａ１およびＡ２は各々独立して、水素、−Ｃ１−６アルキル、−ＯＣ１−６アルキル、ベンジルオキシ、２−クロロエトキシ、およびヒドロキシからなる群から選択され；
Ｔは、水素、−ＯＨ、−（ＣＨ２ＣＨ２Ｏ）ｓＨ、−（ＣＨ２ＣＨ２Ｏ）ｔＣＨ３および−ＮＲ４Ｒ５からなる群から選択され；
ｍ、ｎ、ｐ、ｑ、ｒ、ｓおよびｔは独立して１〜６であり；および
アリールはハロまたは−ＣＯ２Ｒ３で適宜置換されるフェニル基からなる］
の化合物、またはその医薬的に許容される塩。
【請求項２】
Ｚが
【化７】
2005536492.tif 000007
である請求項１の化合物、またはその医薬的に許容される塩。
【請求項３】
Ｚが−ＮＨ２である請求項１の化合物、またはその医薬的に許容される塩。
【請求項４】
（ａ）Ｒ１およびＲ２はＣＨ３である；
（ｂ）Ｒ１およびＲ２はＰ（Ｏ）（ＣＨ３）ＯＨである；
（ｃ）Ｒ１およびＲ２はＣＨ２ＯＰ（Ｏ）（ＯＨ）２である；
（ｄ）Ｒ１はＰ（Ｏ）（ＣＨ３）ＯＨであり、Ｒ２はＨである；
（ｅ）Ｒ１は
【化８】
2005536492.tif 000008
であり、Ｒ２はＨである；
（ｆ）Ｒ１はＨであり、Ｒ２はＰ（Ｏ）（ＣＨ３）ＯＨである；
（ｇ）Ｒ１はＨであり、Ｒ２はＣＨ２ＣＯＮＨ２である；
（ｈ）Ｒ１はＨであり、Ｒ２はＣＨ２ＣＯ２ＣＨ３である；
（ｉ）Ｒ１はＨであり、Ｒ２はＣＨ２ＣＨ２ＣＨ２ＳＯ３Ｈである；
（ｊ）Ｒ１はＨであり、Ｒ２はＣＨ２Ｐ（Ｏ）（ＯＥｔ）２である；
（ｋ）Ｒ１はＨであり、Ｒ２はＣＨ２ＯＰ（Ｏ）（ＯＨ）２である；
（ｌ）Ｒ１はＨであり、Ｒ２はＣＨ２ＣＨ２Ｃｌである；
（ｍ）Ｒ１はＨであり、Ｒ２は
【化９】
2005536492.tif 000009
である；
（ｎ）Ｒ１はＨであり、Ｒ２はＣＨ３である；
（ｏ）Ｒ１はＨであり、Ｒ２はＣＯＮＨ（ＣＨ２ＣＨ２Ｏ）４Ｈである；
（ｐ）Ｒ１はＨであり、Ｒ２は
【化１０】
2005536492.tif 000010
である；および
（ｑ）Ｒ１はＨであり、Ｒ２は
【化１１】
2005536492.tif 000011
である
からなる（ａ）〜（ｑ）の群から選択される請求項２の化合物。
【請求項５】
Ｒ１がＨであり、Ｒ２がＣＨ２ＣＨ２ＣＨ２ＳＯ３Ｈである、請求項３の化合物。
【請求項６】
請求項１の化合物の治療上の有効量、および医薬的に許容される担体、添加剤、もしくは希釈剤を含む医薬組成物。
【請求項７】
請求項１の化合物を含む、細菌感染またはマイコバクテリア感染を治療または予防するための組成物。
【請求項８】
該細菌感染またはマイコバクテリア感染がグラム陽性細菌またはマイコバクテリアによって引き起こされる、請求項７の組成物。
【請求項９】
該グラム陽性細菌感染またはマイコバクテリア感染が、メチシリン耐性黄色ブドウ球菌、バンコマイシン耐性黄色ブドウ球菌、バンコマイシン耐性エンテロコッカス・フェカーリス、バンコマイシン耐性エンテロコッカス・フェシウム、ペニシリン耐性肺炎連鎖球菌および結核菌からなる群から選択されるメンバーで引き起こされる請求項８の組成物。
【手続補正書】
【提出日】平成18年4月12日(2006.4.12)
【手続補正１】
【補正対象書類名】特許請求の範囲
【補正対象項目名】請求項１５
【補正方法】変更
【補正の内容】
【請求項１５】
糖尿病、２型糖尿病、インスリン抵抗、高血糖症、抗インスリン血症、血中脂肪酸値若しくはグリセロール値の上昇、高脂血症、肥満、高トリグリセリド血症、炎症、Ｘ症候群、糖尿病合併症、異常代謝症候群、またはアテローム性動脈硬化を治療するための、請求項１４の薬学的組成物。
【手続補正２】
【補正対象書類名】特許請求の範囲
【補正対象項目名】請求項１６
【補正方法】変更
【補正の内容】
【請求項１６】
非浸潤性乳管癌および非浸潤性小葉癌を含む初期の悪性病変；胸の線維腺腫および前立腺上皮内腫瘍（ＰＩＮ）を含む前悪性病変；前立腺、大腸、卵巣、胃および肺の腫瘍；過敏性腸症候群；クローン病；胃潰瘍炎；および骨粗鬆症および乾癬を治療するための、請求項１４の薬学的組成物。
【誤訳訂正書】
【提出日】平成18年6月28日(2006.6.28)
【誤訳訂正１】
【訂正対象書類名】特許請求の範囲
【訂正対象項目名】全文
【訂正方法】変更
【訂正の内容】
【特許請求の範囲】
【請求項１】
式
【化１】
2005536499.tif 000001
又は式
【化２】
2005536499.tif 000002
［式中、
Ｗは、ＣＨ又はＮであり、
Ｒ１は、ヒドロキシ、（Ｃ１−６）アルコキシ、ハロ（Ｃ１−６）アルコキシ、ヒドロキシカルボニル（Ｃ１−６）アルコキシ又は（Ｃ１−６）アルコキシカルボニル（Ｃ１−６）アルコキシであり、
Ｒ２は、水素又はエステル部分であり、
Ｒ３は、水素、（Ｃ１−６）アルキル、（Ｃ２−６）アルケニル又は（Ｃ３−８）シクロアルキルであり、
Ｒ４は、水素又は（Ｃ１−６）アルキルであり、
【化３】
2005536499.tif 000003
は、シクロヘキシル又はフェニルであり、
Ｒ５及びＲ６は、互いに独立に、水素、（Ｃ１−６）アルキル、（Ｃ２−６）アルケニル、（Ｃ６−１８）アリールカルボニル、（Ｃ１−６）アルキルカルボニル、（Ｃ６−１８）アリールオキシ（Ｃ１−４）アルキルカルボニル、（Ｃ１−６）アルキルカルボニル（Ｃ６−１８）アリールカルボニル、ヘテロシクリル（Ｃ１−６）アルキルカルボニル（但し、ヘテロシクリルは、５個又は６個の環員及び１から４個の、Ｎ、Ｏ又はＳから選択されたヘテロ原子を含有する）、（Ｃ１−６）アルキルスルホニル又は（Ｃ６−１８）アリールスルホニルであり、
Ｘは、ＮＨ、Ｏ、Ｓ又はＮ−Ｒ８（但し、Ｒ８は、（Ｃ１−６）アルキル又は（Ｃ３−８）シクロアルキルである。）であり、
Ｙは、Ｏ又はＳであり、
ｎ及びｍは、互いに独立に、０又は１である。］
の化合物。
【請求項２】
ＷがＣＨ又はＮであり、
Ｒ１が、ヒドロキシ、メトキシ、フルオロメトキシ又は（ヒドロキシカルボニル）（ジメチル）メトキシであり、
Ｒ２が水素であり、
Ｒ３が、水素、（Ｃ１−４）アルキル、例えばメチル若しくはエチル、アリル又はシクロプロピルであり、
Ｒ４が、水素又は（Ｃ１−４）アルキル、例えばメチルであり、
【化４】
2005536499.tif 000004
がシクロヘキシルであり、例えば、−（ＣＨ２）ｍ−ＮＲ５Ｒ６基がオルト位、メタ位又はパラ位にあり、
Ｒ５及びＲ６が、互いに独立に、水素、（Ｃ１−３）アルキル、アリル、（Ｃ１−４）アルキルカルボニル、フェニルカルボニル（但し、フェニルは場合により（Ｃ１−４）アルキルカルボニルオキシによって置換されている。）、フェニルオキシメチルカルボニル、フェニルスルホニル（但し、フェニルはアミノ又は（Ｃ１−４）アルキルカルボニルアミノによって置換されている。）又は５個の環員及び１個の、Ｎ、Ｏ若しくはＳから選択されたヘテロ原子を含有するヘテロシクリルであり、
Ｘが、ＮＨ、ＮＣＨ３、ＮＣＨ（ＣＨ３）２、Ｏ、Ｓ又はアミノによって置換された（Ｃ３−８）シクロアルキルであり、
ｎが０であり、ｍが０であり、
ＹがＳであり、
Ｒ８が（Ｃ１−４）アルキルである
式ＩＡ又はＩＢの化合物。
【請求項３】
ＷがＮ又はＣＨであり、
Ｒ１が、ヒドロキシ又はフルオロメトキシであり、
Ｒ２、Ｒ４、Ｒ５及びＲ６が水素であり、
Ｒ３が（Ｃ１−４）アルキルであり、
【化５】
2005536499.tif 000005
がシクロヘキシルであり、
ＸがＮＨであり、
ｎが１であり、ｍが１である、
式ＩＡの化合物。
【請求項４】
ＷがＮであり、
Ｒ１がフルオロメトキシであり、
Ｒ２、Ｒ４、Ｒ５及びＲ６が水素であり、
Ｒ３が（Ｃ１−４）アルキルであり、
【化６】
2005536499.tif 000006
がフェニルであり、
ＸがＮＨであり、
ｎが１であり、ｍが０である、
式ＩＡの化合物。
【請求項５】
ＷがＣＨ又はＮであり、
Ｒ１が、ヒドロキシ又はフルオロメトキシであり、
Ｒ２、Ｒ４、Ｒ５及びＲ６が水素であり、
Ｒ３が（Ｃ１−４）アルキルであり、
【化７】
2005536499.tif 000007
がフェニルであり、
ＸがＮＨであり、
ｎが１であり、ｍが１である、
式ＩＡの化合物。
【請求項６】
式
【化８】
2005536499.tif 000008
の化合物。
【請求項７】
塩の形での請求項１から６の何れか１項に記載の化合物。
【請求項８】
少なくとも１種の薬物賦形剤を伴って、請求項１から７の何れか１項に記載の化合物を含有する薬物組成物。
【請求項９】
薬物としての請求項１から７の何れか１項に記載の化合物の使用。
【請求項１０】
微生物疾患の治療方法であって、このような治療が必要な被検者に、請求項１から７の何れか１項に記載の化合物の有効量を投薬することを含む方法。
【誤訳訂正２】
【訂正対象書類名】明細書
【訂正対象項目名】０００４
【訂正方法】変更
【訂正の内容】
【０００４】
【化１０】
2005536499.tif 000009
［式中、
Ｗは、ＣＨ又はＮであり、
Ｒ１は、ヒドロキシ、（Ｃ１−６）アルコキシ、ハロ（Ｃ１−６）アルコキシ、ヒドロキシカルボニル（Ｃ１−６）アルコキシ又は（Ｃ１−６）アルコキシカルボニル（Ｃ１−６）アルコキシであり、
Ｒ２は、水素又はエステル部分であり、
Ｒ３は、水素、（Ｃ１−６）アルキル、（Ｃ２−６）アルケニル又は（Ｃ３−８）シクロアルキルであり、
Ｒ４は、水素又は（Ｃ１−６）アルキルであり、
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
蒸留によって得られるアカザ種由来の農薬としての活性を有する精油抽出物であり、α−テルピネン、ρ−シメン、リモネン、カルバクロール、カルベオール、ネロール、チモール、カルボン、およびアスカリドールを含み、前記抽出物が殺ダニ、殺虫、および殺菌活性を有し、アスカリドールが９．８６％以下の比率であり、ただし、アスカリドールは６．７％の比率ではない、前記精油抽出物。
【手続補正２】
【補正対象書類名】明細書
【補正対象項目名】００９６
【補正方法】変更
【補正の内容】
【００９６】
１ｍｌの各調製物および対照としてマイクロフィルターで濾過した水を、スタンドに置かれ、３ｐｓｉに設定された圧力ゲージに接続されたポッタースプレータワーのスプレーノズルの容器にGilson Pipetman（登録商標）P-1000を用いて添加した。ペトリ皿の重量を各適用前および直後に量り、各試験サンプルに堆積させたオイルの量（ｍｇ／ｃｍ２）を計算した。
そのままで使用可能な製剤を、このＲＴＵ製剤および現在市場に出回っている他の殺ダニ製品（合成および天然）の相対有効性を比較するために、異なる濃度（０．１２５、０．２５、０．５、０．７５、および１％）で所望の死亡率（＞９５％）に必要な最低濃度を確認するために、上記方法に従って試験した。
全手順を３回行い、各処理により試験した合計２７０匹のダニを得た。
【手続補正３】
【補正対象書類名】明細書
【補正対象項目名】０１５７
【補正方法】変更
【補正の内容】
【０１５７】
以下の処理を評価した：１）水で処理したネガティブコントロール；２）病原体E. cichoracearumおよびS. fuligineaで処理したポジティブコントロール；３）Nova（登録商標）（０．３ｇ／１）；４）Benlate（登録商標）＋Manzate（登録商標）（１．２ｇ／ｌおよび４．０ｇ／ｌ）；５）ＡＩ０．１２５％のＥＣ２５％（精油抽出物２５％；Rhodopex CO-436 ２．５％；Igepal CO-430 ２．５％；およびTHFA ７０％を含む）；６）ＡＩ０．５０％のＥＣ２５％；７）ＡＩ０．７５０％のＥＣ２５％；８）鉱物油。実験デザインは、７ブロックを用いたランダム化完備ブロック計画法であった。既知のまたは測定可能な量の接種材料の完全菌類寄生者を接種することはほとんど不可能であることから、常に植物の感染レベルの変動がある。ウドンコ病の最初の評価を、温室内の接種したすべての植物について行なった。感染のパーセンテージを分析し、同レベルの感染を示す８植物をグループ化した（ＳＥ＜１．５、図２６参照）。
【手続補正４】
【補正対象書類名】明細書
【補正対象項目名】０２２５
【補正方法】変更
【補正の内容】
【０２２５】
【図２２】２０時間死亡率データにより計算された、オンシツコナジラミ（Trialeurodes vaporariorum (Westw.））のＥＣ２５％の致死濃度（ＬＣ５０およびＬＣ９０）をｍｇ／ｃｍ２で示す図である。
【図２３】４種類の濃度（０．０６２５、０．１２５、０．２５および０．５％）のＥＣ２５％製剤および市販の生物殺虫剤、Neem Rose Defense（登録商標）およびSafer's Trounce（登録商標）の適用の２４時間後の、Encarsia formosaの死亡率を示す図である。
【図２４】菌類Botrytis cinereaが原因のトマトの灰色かび病への３種類の濃度のＥＣ２５％の効果を示す図である。
【手続補正５】
【補正対象書類名】図面
【補正対象項目名】図２３
【補正方法】変更
【補正の内容】
【図２３】
2005536495.tif 000001
【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
下記式Ｉの化合物：
【化１】
2005536464.tif 000001
式中、ＲがＨ、−ＯＨ、ＮＯ２、ＮＨ２、Ｎ３、ハロゲン、カルボキシル、Ｃ１−１６アルキル基、Ｃ１−１６アルキレニル基、Ｃ３−８シクロアルキル基、Ｃ１−８アルコキシル基、アロキシル基、ＣＮ、ＳＯ３Ｈ、Ｃ１−８ハロゲン化アルキル基、（ＣＨ２）ｎＮＲ２７、ヒドロキシル、ＳＨ、ＳＲ８、カルボニル基、ＳｉＲ３１０；Ｃ１−１２アルケニル基、ＣＦ３、ＣＣｌ３、ＣＨ２Ｆ、ＣＨ２Ｃｌ２、ＣＨＦ２、ＣＨＣｌ２、ＯＨ、またはＯＲ１２である；ここで、Ｒ基がそれぞれＡ環の９、１０、１１または１２位に位置する；Ｒ１２がＣ１−８アルキル基、Ｃ１−８アルケニル基、または芳香族基である；Ｒ７がＨまたはＣ１−８アルキル基である；ｎが１〜８の整数である；Ｒ８がＣ１−８アルキル基または置換または未置換フェニル基である；Ｒ１０がＣ１−４アルキル基である；ＸがＨ、Ｃ１−８アルキル基、Ｃ１−８アルケニル基、Ｃ１−８アルコキシル基、アロキシル基、ＳｉＲ３１１基またはＣＨ２ＮＺＹである；ｎが１〜１８である；およびＸ１、Ｘ２、Ｘ３、Ｘ４およびＸ５が同じまたは異なっていて、水素、ハロゲン、置換または未置換アルキル基、芳香族基、ニトロ基、シアノ基、アミノ基、ヒドロキシル基、カルボニル基、カルボキシル基であり、ただし、Ｘ１〜Ｘ５の少なくとも１つがハロゲン原子またはハロゲン含有基である。
【請求項２】
Ｘ１、Ｘ３およびＸ４が水素であり、かつ、Ｘ２およびＸ５が同じまたは異なっていて、ハロゲンである、請求項１記載の化合物。
【請求項３】
Ｘ１およびＸ２が水素であり、かつ、Ｘ３、Ｘ４およびＸ５が同じまたは異なっていて、ハロゲンである、請求項１記載の化合物。
【請求項４】
Ｘ１、Ｘ２およびＸ３が水素であり、かつ、Ｘ４およびＸ５が同じまたは異なっていて、ハロゲンである、請求項１記載の化合物。
【請求項５】
Ｘ３およびＸ４が水素であり、かつ、Ｘ１、Ｘ２およびＸ５が同じまたは異なっていて、ハロゲンである、請求項１記載の化合物。
【請求項６】
Ｘ２およびＸ５が同じまたは異なっていて、フッ素または塩素である、請求項２記載の化合物。
【請求項７】
Ｘ３、Ｘ４およびＸ５が同じまたは異なっていて、フッ素または塩素である、請求項３記載の化合物。
【請求項８】
Ｘ４およびＸ５が同じまたは異なっていて、フッ素または塩素である、請求項４記載の化合物。
【請求項９】
Ｘ１、Ｘ２およびＸ５が同じまたは異なっていて、フッ素または塩素である、請求項５記載の化合物。
【請求項１０】
Ｘ１がハロゲンであり、Ｘ２、Ｘ３、Ｘ４およびＸ５が水素である、請求項１記載の化合物。
【請求項１１】
Ｘ３がハロゲンであり、Ｘ１、Ｘ２、Ｘ４およびＸ５が水素である、請求項１記載の化合物。
【請求項１２】
Ｘ１が塩素である、請求項１０記載の化合物。
【請求項１３】
Ｘ１がフッ素である、請求項１０記載の化合物。
【請求項１４】
Ｘ３がフッ素である、請求項１１記載の化合物。
【請求項１５】
Ｘ３が塩素である、請求項１１記載の化合物。
【請求項１６】
請求項１〜１５の何れか１に記載の前記化合物の有効量を含む組成物を投与することを含む哺乳動物の腫瘍または癌を治療する方法であって、前記腫瘍または癌が前記組成物に反応性を有する方法。
【請求項１７】
前記腫瘍または癌が肺、乳房、大腸、前立腺、膵臓、胃、肝臓、脳、腎臓、子宮、頚部、卵巣、尿管、直腸管に存在するか、あるいは黒色腫または白血病である、請求項１６に記載の方法。
【請求項１８】
請求項１〜１５の何れか１に記載の前記化合物を含む組成物を哺乳動物へ投与することによって、生物学的条件下にてカンプトテシンのラクトン環を加水分解する原因となる酵素を阻害する方法。
【請求項１９】
請求項１〜１５の何れか１に記載の前記化合物を含む組成物を哺乳動物へ投与することによって、生物学的条件下にてカンプトテシンのラクトン環を加水分解する原因となる酵素を阻害する方法であって、該酵素がトポイソメラーゼＩである方法。
【請求項２０】
カンプトテシン、溶媒、アシル化剤および塩基をいかなる順序でも混合することを含む、請求項１〜１５の何れか１に記載のハロアルキルエステルを製造する方法。
【請求項２１】
前記溶媒が前記カンプトテシンを溶解することができるが、前記アシル化剤と反応できない、請求項２０記載の方法。
【請求項２２】
前記溶媒がヒドロキシ基を含まない、請求項２０記載の方法。
【請求項２３】
前記溶媒がジメチルホルムアミドである、請求項２０記載の方法。
【請求項２４】
前記カンプトテシンを前記溶媒と混合する前、最中または後に、前記アシル化剤が前記溶媒と混合される、請求項２０記載の方法。
【請求項２５】
前記アシル化剤が有機無水物である、請求項２０記載の方法。
【請求項２６】
カンプトテシン、ハロゲン化アシル、および酸をいかなる順序でも混合することを含む、請求項１〜１５の何れか１に記載のハロアルキルエステルを製造する方法。
【請求項２７】
前記酸が硫酸である、請求項２６記載の方法。
【請求項２８】
さらに、前記カンプトテシン、ハロゲン化アシルおよび酸の混合物を約８０℃〜約１２０℃で不活性雰囲気下に加熱することを含む、請求項２６記載の方法。
【手続補正書】
【提出日】平成18年2月3日(2006.2.3)
【手続補正１】
【補正対象書類名】明細書
【補正対象項目名】００４１
【補正方法】変更
【補正の内容】
【００４１】
【図１Ａ】低アレルギー性ｒＢｅｔ ｖ １の特性評価のためのＳＤＳ−ＰＡＧＥを示す。トラック１：分子量推定のための標準タンパク質。トラック２：天然ｎＢｅｔ ｖ １。トラック３：本発明に従って精製したｒＢｅｔ ｖ １。トラック４：従来方法により精製したｒＢｅｔ ｖ １。
【図１Ｂ】図１ＡのＳＤＳ−ＰＡＧＥのニトロセルロースブロットを示す。
【図２】図２Ａは個別患者の２０個の血清試料を用いた、ＩｇＥ活性決定のためのニトロセルロースブロットを示す。位置３：天然ｎＢｅｔ ｖ １。位置４：本発明に従って精製したｒＢｅｔ ｖ １。位置５：従来方法により精製したｒＢｅｔ ｖ １。  図２ＢはＢｅｔ ｖ １試料の主体性決定のためのニトロセルロースブロットを示す。ブロット２１〜２６：種々のラビットポリクローナル抗Ｂｅｔ ｖ １抗体。ブロット２７：マウスモノクローナル抗Ｂｅｔ ｖ １抗体６Ｂ６。
【図３】ＩｇＥ結合の定量化のための酵素アレルゲン溶媒試験（ＥＡＳＴ）を示す。  ＩｇＥ−Ｂｅｔ ｖ １結合の阻害剤の濃度をμｇ／ｍｌ単位で横軸にプロットし、阻害率を［％］で縦軸に示す。
【図４】Ｂｅｔ ｖ １変種によるＴ細胞刺激作用の決定を示す。  天然ｎＢｅｔ ｖ １、従来方法により精製した組換えｒＢｅｔ ｖ １、および本発明に従って精製した組換えｒＢｅｔ ｖ １の濃度と、種々のＴ細胞株（ＴＣＬｓ）およびＴ細胞クローン（ＴＣＣｓ）によって得たそれぞれの刺激指数（ＳＩ）を比較する。
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
上端部(14)及び下端部(16)を有する壁部(12)と、該壁部(12)の下端部(16)から延びて、所定の形状を有する底部(20)とを具えるアルミニウム缶であって、缶は３０００系アルミニウムから形成され、上端部(14)は予め規定された形状の肩部とネック(19)を有することを特徴とするアルミニウム缶。
【請求項２】
予め規定された形状の肩部は、テーパ状の肩部、丸い肩部、平らな肩部又は楕円曲面の肩部である請求項１のアルミニウム缶。
【請求項３】
缶は、高さ１００〜２００ｍｍ、直径４５〜６６ｍｍである請求項１のアルミニウム缶。
【請求項４】
ネックは、エアゾール分配装置を受け入れることができるように作られている請求項１のアルミニウム缶。
【請求項５】
底部の形状は、底部の周囲に形成されたＵ字形状部と、底部の残部に形成されたドーム形状部を含んでいる請求項１のアルミニウム缶。
【請求項６】
底部のドーム形状部はリンクルフリーである請求項５のアルミニウム缶。
【請求項７】
略垂直な壁部の厚さは約０.２１ｍｍであり、底部のＵ字形状部の厚さは約０.５１ｍｍである請求項５のアルミニウム缶。
【請求項８】
３０００系アルミニウムから作られるアルミニウム缶の肩部形状を成形する方法であって、３０以上の異なるネック成形ダイで缶を加工することを含んでいる方法。
【請求項９】
加工は、後部の角度が０°３０'０"の第１のネック成形ダイで、缶をネック成形することを含んでいる請求項８の方法。
【請求項１０】
加工は、後部の角度が３°の第２のネック成形ダイで、缶をネック成形することを含んでいる請求項９の方法。
【請求項１１】
加工は、後部の角度が３°の第３のネック成形ダイで、缶をネック成形することを含んでいる請求項１０の方法。
【請求項１２】
加工は、後部の角度が３°の第４のネック成形ダイで、缶をネック成形することを含んでいる請求項１１の方法。
【請求項１３】
加工は、非移動のセンターガイドを有する一連の１４個のネック成形ダイで、缶をネック成形することを含んでいる請求項８の方法。
【請求項１４】
各々のダイから缶を容易に取り外すことができるように、最初の１４個のダイに圧縮空気を使用することを含んでいる請求項８の方法。
【請求項１５】
ネック成形ダイの各々は、缶の当初の垂直な側壁から、約０°３０'０"〜３"のテーパ角度を有する請求項８の方法。
【請求項１６】
ネック成形ダイは２つの環状経路に配置されている請求項８の方法。
【手続補正２】
【補正対象書類名】明細書
【補正対象項目名】００２１
【補正方法】変更
【補正の内容】
【００２１】
本発明は、また、３０００系アルミニウム合金、例えば３００４アルミニウム合金のアルミニウム缶の肩部の形状を成形する方法を含んでいる。この方法の第１ステップは、アルミニウム缶を第１マンドレルへ取り付けることを含んでいる。次に、缶は、ネック成形テーブルの上に円形パターンに配置された最大２８個の第１組のダイの中を連続して通される。缶は、次に、第２マンドレルへ移される。第２マンドレル上の缶は、第２のネック成形テーブルの上に円形パターンに配置された最大２８個の第２組のダイの中を連続して通される。この方法は、予め規定された数のネック成形ダイを通った後、ネックをトリミングすることを含んでいる。即ち、ネック成形ダイの１つはトリミングステーションと置き換えられる。トリミングにより、缶のネック部の余分な材料と不揃いな縁部が取り除かれ、缶が残りのネック成形ダイに付着するのを防止する役割を有する。本発明は、ネック成形用の各ダイで、缶の径方向の変形に最大の増加がもたらされると共に、各ダイからの缶の取外しが容易に行なえるように、十分な数のネック成形用ダイが使用される。缶の径方向の変形に最大の増加をもたらすことは、缶製造の効率を向上させるために好ましいことである。変形が余りに大きすぎると、缶がネック成形ダイの内側に付着し、ネック成形機を停止させる問題を生ずる。一般的には、第１のダイでの変形は２°よりも少ないが、その後の各ダイでは、２°以上の径方向の変形をもたらすことができる。
【手続補正３】
【補正対象書類名】明細書
【補正対象項目名】００２３
【補正方法】変更
【補正の内容】
【００２３】
本発明の方法及び装置において使用されるネック成形ダイは、幾つかの点で、従来のネック成形ダイと異なる。各ダイによってもたらされる変形度は、従来のネック成形ダイよりも小さい。第１ネック成形ダイの後部(back)の角度は、０°３０'０"(ゼロ度３０分ゼロ秒)である。ダイ２〜ダイ６の後部の角度は、従来の３０°ではなく３°である。本発明のネック成形ダイの長さは、さらに、従来使用されているものより長く、長さ１００ｍｍであることが望ましい。従来のネック成形ダイの場合、缶の壁部のメモリ性によって、缶がダイに付着する問題を生じさせるが、本発明で使用されるダイは、従来のものとは上記の違いがあるため、缶の壁部のメモリ性に関連する問題は最小になる。さらにまた、従来のダイの場合、試験作業において、缶の上部が挟まり、ダイのセンターガイドに付着した。それゆえ、最初の１４個のネック成形ダイは、固定されたセンターガイドを有している。最後に、本発明は、各々のネック成形ダイから缶を取り出す力を補助するために圧縮空気を使用している。圧縮空気はまた、缶の壁を支持する役割を有する。
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
充填作業中に、分注ポートと乾燥粉末用の流路とを有するホッパから乾燥粉末を流動可能に分配する方法であって、
第１の乾燥粉末の調合物に対応する複数の異なる選択された所定の変調周波数により変調された搬送周波数を含む第１の非線形の振動入力信号を発生するステップと、
前記第１の非線形の振動入力信号を、前記第１の乾燥粉末の調合物が通過して流れる間に、乾燥粉末用流路と少なくとも１つの分注ポートとを有する分注ホッパに印加するステップと、
前記第１の乾燥粉末の第１の計量された量を前記分注ポートを通して受取り部材に分配するステップと、
を含む、方法。
【請求項２】
前記非線形の信号の選択された変調周波数が、第１の乾燥粉末の周知及び／又は所定の流動特性の周波数に対応し、かつ前記発生ステップは、乾燥粉末が凝集することなくほぼ均一で流動的な方法で流れるようにするために実行される、請求項１に記載の方法。
【請求項３】
前記入力信号が、乾燥粉末の調合物に対する質量流量解析で検出されるような、アバランシェ間の時間の観察された周波数の評価から得られる、請求項１に記載の方法。
【請求項４】
前記印加ステップが複数の選択された変調周波数の振動エネルギーを同時に印加するように実行される、請求項１に記載の方法。
【請求項５】
前記振動エネルギーの入力信号が前記ホッパ及び／又は乾燥粉末の電気−機械的な刺激によって発生される、請求項１に記載の方法。
【請求項６】
第１の非線形の入力信号“ｘsignal ”は、数式：
ｘsignal  ＝  ｘｆ2  ＋  ｘｆ3  ＋  ｘｆ4  ＋…  ｘｆn
［式中、ｆ2、ｆ3、ｆ4、…、ｆnは、それぞれ、乾燥粉末のアバランシェに基づく解析スペクトルで最も多く観察される周波数に相当し、ｆ2、ｆ3、ｆ4、…、ｆnと共に使用されるパラメーター“ｘ”は、観察された各周波数の振幅重み付けを表す変数である］から得られる、請求項１に記載の方法。
【請求項７】
前記の重み付けされた積算周波数成分１つ以上を、数学的位相調整で増幅する、請求項６に記載の方法。
【請求項８】
ｆ2、ｆ3、ｆ4は、乾燥粉末のアバランシェに基づく解析スペクトルで最も多く観察される周波数である、請求項６に記載の方法。
【請求項９】
乾燥粉末を分配するシステムであって、これは、
少なくとも１つの分注ポートと内面及び外面を有する壁とを備え、中に乾燥粉末を保持するように構成されたホッパと、
前記ホッパ内に配置されるある量の乾燥粉末と、
動作に当たっては、乾燥粉末が前記分注ポートに向かって下向きに流れるときに、下向きの力ベクトルを少なくとも１つ有する速度を、乾燥粉末に与えるに十分な非線形の振動エネルギーを出力するように構成され、前記ホッパと動作できるように結合された少なくとも１つの振動エネルギーソースと、
但し、前記非線形振動エネルギーは、第１の乾燥粉末の調合物に対応する複数の異なる選択された変調周波数により変調された搬送周波数を含み、
前記振動エネルギーソースに指示して、選択された変調周波数により変調された搬送周波数を出力するように構成され、かつ前記ホッパ及び前記振動エネルギーソースと動作できるように結合された制御装置と、
を含み、
その場合、動作に当たっては、乾燥粉末が前記分注ポートに向かって下向きに流れるときに、下向きの力ベクトルを少なくとも１つ有する速度を乾燥粉末に与えるに十分な、第２の非線形振動エネルギーを出力するように、少なくとも１つの振動エネルギーソースが構成され、複数の異なる所定の変調周波数により変調された搬送周波数を含む第２の非線形振動エネルギーは、第１の非線形振動エネルギーとは異なり、かつ前記制御装置は、前記振動エネルギーソースに電気的に指示して、乾燥粉末が流れる間、関連した所定の周波数により変調された各搬送周波数で、第１又は第２の非線形振動エネルギーを出力するように構成される、システム。
【請求項１０】
更に、制御モジュールと動作できるように結合された検出システムを含み、前記検出システムは、用量充填に関連するパラメーターを検出して、分配システムの電子調整用のフィードバックデーターを提供するように構成されている、請求項９に記載のシステム。
【手続補正書】
【提出日】平成18年8月16日(2006.8.16)
【手続補正１】
【補正対象書類名】特許請求の範囲
【補正対象項目名】請求項２９
【補正方法】変更
【補正の内容】
【請求項２９】
基部と、前記基部に密封係合の状態で結合可能な蓋と、前記蓋を前記基部に係止するためのラッチ位置および前記蓋を取り外すために前記基部から離脱させるためのラッチ解除位置を有するラッチ機構とを備えた滅菌容器の滅菌性を保護するための方法において、
滅菌されるべき物品を前記基部内に配置する段階と、
前記基部を前記蓋によって閉鎖する段階と、
前記ラッチ機構を前記ラッチ位置に配置して、前記蓋を前記基部に係止する段階と、
前記ラッチ機構の前記ラッチ位置から前記ラッチ解除位置への自由な移動を阻止するために、シールを前記ラッチ機構に組み込む段階であって、前記シールは、本体と、前記本体に接続される少なくとも一端と自由端とを有する舌片とを有するような段階と、
前記容器を滅菌処置によって処理する段階であって、前記舌片は厚みを増大し、前記ラッチ機構を前記ラッチ位置に保持するような段階と、
前記ラッチ機構を前記ラッチ解除位置に移動させ、前記蓋を前記基部から離脱させる段階であって、前記ラッチ機構の前記ラッチ位置から前記ラッチ解除位置への移動によって、前記舌片が破断するような段階と、
を含むことを特徴とする方法。
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
(a)pHが中性でない、インスリンを含む溶液を調製する過程；
(b)中性でないpHでリポソーム内に溶液を封入する過程；および
(c)過程(b)のリポソームを中和し7.2〜7.6のpHとする過程
を含むインスリン製剤を調製するための方法。
【請求項２】
溶液が、中和前では約2.3〜3.0の間のpHを有し、封入が酸性環境で行われる、請求項1記載の方法。
【請求項３】
溶液が、中和前では約7.8〜9.5の間のpHを有し、封入が塩基性環境で行われる、請求項1記載の方法。
【請求項４】
過程(a)の溶液が20〜80mg/mlのインスリンを含む、請求項1記載の方法。
【請求項５】
リポソームの直径が約0.2〜3ミクロンである、請求項1記載の方法。
【請求項６】
リポソームが、ホスファチジルコリン、ホスファチジルエタノールアミン、コレステロール、ホスファチジルセリン、ホスファチジルグリセロールおよびホスファチジルイノシトールからなる群から選択される脂質を含む、請求項1記載の方法。
【請求項７】
リポソームが単層である、請求項1記載の方法。
【請求項８】
リポソームが多層である、請求項1記載の方法。
【請求項９】
リポソーム内に封入された、分子量約6,000Daのモノマーインスリンを含む組成物。
【請求項１０】
インスリンがインスリンアナログである、請求項9記載の組成物。
【請求項１１】
インスリンが、超速効型インスリンアナログ、モノマーインスリンアナログ、および肝臓特異的インスリンアナログからなる群から選択される、請求項9記載の組成物。
【請求項１２】
インスリンがインスリン・リスプロである、請求項11記載の組成物。
【請求項１３】
溶液が、第2の治療薬をさらに含む、請求項11記載の組成物。
【請求項１４】
請求項1〜8のいずれか一項記載の方法により調製されるインスリン製剤を含む、注射可能な溶液。
【請求項１５】
請求項1〜8のいずれか一項記載の方法により調製されるインスリン製剤を含む、エアロゾル。
【請求項１６】
請求項9〜13のいずれか一項記載の組成物を含む、注射可能な溶液。
【請求項１７】
請求項9〜13のいずれか一項記載の組成物を含む、エアロゾル。
【手続補正書】
【提出日】平成18年8月3日(2006.8.3)
【手続補正１】
【補正対象書類名】特許請求の範囲
【補正対象項目名】請求項１
【補正方法】変更
【補正の内容】
【請求項１】
金属ドープされたペンタシル型ゼオライトの製造方法において、以下の工程：
ａ）ケイ素源及びアルミニウム源を含む水性前駆体混合物を製造すること、ただしこれらの源のうちの少なくとも1つは希土類金属又は周期律表のＶｂ〜ＶＩＩＩｂ、Ｉｂ又はＩＩｂ族の遷移金属でドープされている、及び
ｂ）該前駆体混合物を熱的に処理して、金属ドープされたペンタシル型ゼオライトを形成すること
を含む方法。
【手続補正２】
【補正対象書類名】明細書
【補正対象項目名】０００６
【補正方法】変更
【補正の内容】
【０００６】
この方法は、以下の工程：
ａ）ケイ素源及びアルミニウム源を含む水性前駆体混合物を製造すること、ただしこれらの源のうちの少なくとも1つは希土類金属又は周期律表のＶｂ〜ＶＩＩＩｂ、Ｉｂ又はＩＩｂ族の遷移金属である、及び
ｂ）該前駆体混合物を熱的に処理して、金属ドープされたペンタシル型ゼオライトを形成すること
を含む。
【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
連続ポリマー性フィラメントを含む不織ウエブであって、前記ポリマー性フィラメントは鞘ポリマーと芯ポリマーとを含む多成分フィラメントからなり、前記鞘ポリマーはポリプロピレンポリマー及びモノマーのコポリマーからなり、前記芯ポリマーはポリプロピレンポリマーからなり、前記芯ポリマーは前記鞘ポリマーの溶融温度より少なくとも約１５°Ｆ高い溶融温度を持ち、前記連続ポリマーフィラメントは互いに融着されたことを特徴とする不織ウエブ。
【請求項２】
前記鞘ポリマーは、ランダムコポリマーを含むことを特徴とする請求項１に記載の不織ウエブ。
【請求項３】
前記モノマーは、エチレンを含むことを特徴とする請求項２に記載の不織ウエブ。
【請求項４】
前記モノマーは、約２重量％より小さい量で前記鞘ポリマーに存在することを特徴とする請求項２に記載の不織ウエブ。
【請求項５】
前記モノマーは、約２重量％より小さい量で前記鞘ポリマーに存在することを特徴とする請求項３に記載の不織ウエブ。
【請求項６】
前記連続したフィラメントは、スパンボンドフィラメントを含むことを特徴とする請求項１に記載の不織ウエブ。
【請求項７】
前記鞘ポリマー及び前記芯ポリマーは、約３０ｇ／１０分から約３５ｇ／１０分の溶融流動速度を有することを特徴とする請求項１に記載の不織ウエブ。
【請求項８】
前記鞘ポリマーは、約１１０℃から約１５０℃の溶融温度を有することを特徴とする請求項１に記載の不織ウエブ。
【請求項９】
前記芯ポリマーは、メタロセン触媒ポリプロピレンを含むことを特徴とする請求項１に記載の不織ウエブ。
【請求項１０】
前記芯ポリマーは、少なくとも９８重量％の量でポリプロピレンを含むことを特徴とする請求項１に記載の不織ウエブ。
【請求項１１】
前記鞘ポリマーは、約２０重量％から約７０重量％の連続したフィラメントを含むことを特徴とする請求項１に記載の不織ウエブ。
【請求項１２】
ポリマー性繊維を含む不織ウエブであって、前記ポリマー性繊維は鞘ポリマーと芯ポリマーとを含む多成分繊維からなり、前記鞘ポリマーはポリプロピレンポリマー及びエチレンのランダムコポリマーからなり、前記エチレンは約２重量％より少ない量で前記鞘ポリマー内に存在し、前記芯ポリマーはポリプロピレンポリマーからなり、前記芯ポリマーは前記鞘ポリマーの溶融温度より少なくとも約１５°Ｆ高い溶融温度を持ち、前記ポリマー性繊維は互いに融着されたことを特徴とする不織ウエブ。
【請求項１３】
エチレンは、約１．８重量％より少ない量で前記鞘ポリマー内に存在することを特徴とする請求項１２に記載の不織ウエブ。
【請求項１４】
前記多成分繊維は、連続フィラメントであることを特徴とする請求項１２に記載の不織ウエブ。
【請求項１５】
前記多成分繊維はスパンボンド繊維であることを特徴とする請求項１２に記載の不織ウエブ。
【請求項１６】
前記鞘ポリマー及び前記芯ポリマーは、約３０ｇ／１０分間から約３５ｇ／１０分間の溶融流動速度を有することを特徴とする請求項１２に記載の不織ウエブ。
【請求項１７】
前記鞘ポリマーは、約１１０℃から約１５０℃の溶融温度を有することを特徴とする請求項１２に記載の不織ウエブ。
【請求項１８】
前記芯ポリマーは、メタロセン触媒ポリプロピレンを含むことを特徴とする請求項１２に記載の不織ウエブ。
【請求項１９】
鞘ポリマーと芯ポリマーとを含む多成分スパンボンド連続フィラメントからなる繊維であって、前記鞘ポリマーはポリプロピレンポリマーとエチレンのランダムコポリマーからなり、前記エチレンは約２重量％より小さい量で前記鞘ポリマー内に存在し、前記芯ポリマーはポリプロピレンポリマーからなり、前記芯ポリマーは、前記鞘ポリマーの溶融温度より少なくとも約１５°Ｆ高い溶融温度を有し、前記芯ポリマーと前記鞘ポリマーは、少なくとも約３０ｇ／１０分間から３５ｇ／１０分間の溶融流動速度を有することを特徴とする繊維。
【請求項２０】
前記芯ポリマーはメタロセン触媒ポリプロピレンを含むことを特徴とする請求項１９に記載の繊維。